(57)【要約】【課題】  自力で逆さ吊りして血流を変えると共に身体を牽伸させることにより、足のむくみなどの痛みを改善し、リラックス効果も併せ得られる、折り畳み可能で簡易な、椅子としても使用可能な逆さ吊り身体牽引機を提供する。【解決手段】  上半身載置板のいずれか一方の端と一端に足首保持部を備えた下半身載置板の端とを軸着して身体を板上に載置しうるように連結した表面側に中折れ自在の基台に、駆動脚部を設けた逆さ吊り身体牽引機である。上半身載置板は、一端近傍の両脇に把手を備えた脚板と他端が下半身載置板に連結した座板とをそれぞれの残りの端同士で軸着して連結した裏面側に中折れ自在の上半身載置板である。駆動脚部は、座板の両脇と第１の支持桿と車輪と第２の支持桿を軸着して連結した駆動脚部である。座板にはその下半身載置板側端の両脇に２本の第１の支持桿の可動角度を規制するストッパーを突設されている。【選択図】  図１
2005342263.tif 000002
【特許請求の範囲】
【請求項１】
上半身載置板のいずれか一方の端と一端に足首保持部を備えた下半身載置板の他端とを軸着して身体を板上に載置しうるように連結した表面側に中折れ自在の基台に、駆動脚部を設けてなる逆さ吊り身体牽引機であって、
上半身載置板が、一端近傍の両脇にそれぞれ右手用と左手用の把手を備えた脚板と他端が下半身載置板に連結した座板とをそれぞれの残りの端同士で軸着して連結した略９０度以内の角度まで裏面側に中折れ自在の上半身載置板であり、駆動脚部が、座板の両脇と２本の第１の支持桿の一端とを座板の両脇において軸着位置を自在に変更できるようにそれぞれ軸着し、２本の第１の支持桿の他端と２つの車輪とをそれぞれ軸着し、且つ下半身載置板の両脇と前記の各車輪を２本の第２の支持桿の両端部でそれぞれ軸着して連結した駆動脚部であり、かつ、座板にはその下半身載置板側端の両脇に２本の第１の支持桿の可動角度を規制するストッパーを突設して、下半身載置板と上半身載置板とが表面側において互いに略直角又は傾斜平面となり、かつ、座板と脚板とが平面又は裏面側に略９０度以内の特定の角度の構造となるようにすることにより、身体を傾斜状の基台上に傾斜した逆さ吊り状態で保持しうると共に身体を座った状態に保持しうるように構成したこと、を特徴とする前記逆さ吊り身体牽引機。
【請求項２】
上半身載置板と下半身載置板との軸着、連結部に伸展基台の係止装置と、上半身載置板の軸着、連結部に水平又は中折れ状態で固定する係止装置とを、更に設けてなる、請求項１に記載の逆さ吊り身体牽引機。
【発明の詳細な説明】
【技術分野】
【０００１】
本発明は、身体を傾斜した逆さ吊り状態で牽伸できると共に椅子としても使用することのできる簡易な装置に関する。
【背景技術】
【０００２】
逆立ち運動は、血行を逆流させて体調を改善すると共に、リラックスにも効果があることが古くから広く知られている。
この逆立ちの効果を目的とする各種の装置はこれまで数多く提案されている。
例えば、従来の血流促進逆吊装置は、脚支柱に対し、油圧式リニアアクチュエータ等の駆動手段を介して支持板を回転自在に設置し、支持板に、上半身支持ベッドを摺動可能に設置するとともに、足首固定パッドを設けたものである（特許文献１参照。）。
【０００３】
また、ぶら下がりによって身体を牽伸させることにより、体調を整え、リラックス効果が得られることも広く知られている。
この身体牽伸による効果を目的とする装置もこれまで数多く提案されている。
例えば、従来の身体牽伸機は、水平基台上で、足掛片に足首を引っ掛け、基台の裏から回したロープに密着した握杆を両手で牽引して、身体を牽伸する装置である（特許文献２参照。）。
【０００４】
【特許文献１】特開平１１−９６３０号公報
【特許文献２】実開昭６２−６１２５８号公報
【発明の開示】
【発明が解決しようとする課題】
【０００５】
しかしながら、従来公知の特開平１１−９６３０号公報（特許文献１）などの血流促進逆吊装置は、油圧式リニアアクチュエーター等の駆動手段などを使用しているため、構造が複雑で重く、広い場所が必要であるといった問題があり、高価でもある。
【０００６】
また、従来の実開昭６２−６１２５８号公報（特許文献２）などの身体牽伸機では、血行を逆流させて身体の内部から体調を改善するという効果は得られない。
【０００７】
本発明の目的は、自力で逆さ吊りして血流を変えると共に身体を牽伸させることにより、足のむくみや、腰、膝などの痛みなどを身体の内部から改善し、リラックス効果も併せ得られる、折り畳み可能で簡易な装置を提供することである。また本発明の他の目的は、前記目的に加えて、椅子としても使用することのできる逆さ吊り身体牽引機を提供することである。
【課題を解決するための手段】
【０００８】
前記目的を達成するために、本発明は、上半身載置板のいずれか一方の端と一端に足首保持部を備えた下半身載置板の他端とを軸着して身体を板上に載置しうるように連結した表面側に中折れ自在の基台に、駆動脚部を設けてなる逆さ吊り身体牽引機であって、上半身載置板が、一端近傍の両脇にそれぞれ右手用と左手用の把手を備えた脚板と他端が下半身載置板に連結した座板とをそれぞれの残りの端同士で軸着して連結した略９０度以内の角度まで裏面側に中折れ自在の上半身載置板であり、駆動脚部が、座板の両脇と２本の第１の支持桿の一端とを座板の両脇において軸着位置を自在に変更できるようにそれぞれ軸着し、２本の第１の支持桿の他端と２つの車輪とをそれぞれ軸着し、且つ下半身載置板の両脇と前記の各車輪を２本の第２の支持桿の両端部でそれぞれ軸着して連結した駆動脚部であり、かつ、座板にはその下半身載置板側端の両脇に２本の第１の支持桿の可動角度を規制するストッパーを突設して、下半身載置板と上半身載置板とが表面側において互いに略直角又は傾斜平面となり、かつ、座板と脚板とが平面又は裏面側に略９０度以内の特定の角度の構造となるようにすることにより、身体を傾斜状の基台上に傾斜した逆さ吊り状態で保持しうると共に身体を座った状態に保持しうるように構成したこと、を特徴とする前記逆さ吊り身体牽引機である。
【０００９】
また本発明は、上半身載置板と下半身載置板との軸着、連結部に伸展基台の係止装置と、上半身載置板の軸着、連結部に水平又は中折れ状態で固定する係止装置とを、更に設けてなる、前記逆さ吊り身体牽引機である。
【発明の効果】
【００１０】
本発明により、自力で逆さ吊りして血流を変えると共に身体を牽伸させることにより、足のむくみや、腰、膝などの痛みなどを身体の内部から改善し、リラックス効果も併せ得られる、折り畳み可能で簡易な装置を提供することが可能となった。また、これに加えて、身体を正常に座った状態で保持して椅子としても使用することのできる、逆さ吊り身体牽引機を提供することも可能となった。
【発明を実施するための最良の形態】
【００１１】
以下、本発明の実施の形態を図面に基づいて説明する。
図１は、本発明の一実施例の逆さ吊り身体牽引機の斜視図である。図２は、図１における伸展基台の係止装置の作用、機構を説明する一部分解斜視図である。図３は、図１における足首保持部において足を挿入する前の状態を示す部分斜視図である。
【００１２】
図１に示す本発明の一実施例の逆さ吊り身体牽引機は、基本的に、上半身載置板５と下半身載置板６とを軸着して身体を板上に載置しうるように連結した基台１に、駆動脚部２が設けられた構成である。上半身載置板５は、（椅子として使用する場合の）座板１０１と脚板１００とが軸着し連結されたものである。下半身載置板６の先端には、足首保持部３が設けられている。
【００１３】
上半身載置板５の脚板１００の一端（すなわち人体の頭部が載置される先端側）の近傍の両脇にはそれぞれ、右手用と左手用の把手７ａ、７ｂが設けられており、２つの把手７ａ、７ｂを両手で握って起点として力を加減して基台１上の上向きの身体を屈伸させる。
【００１４】
足首保持部３は、軸スライド基材２７に連結された基軸２８に踵止め底板１１ａ、１１ｂの上端とサンダル底板９ａ、９ｂの下端が一緒に軸支されたものが、２本の支桿１２ａ、１２ｂにより下半身載置板６の先端に２個並列に設けられている。２個並列の踵止め底板９ａ、９ｂの表面側にはそれぞれ踵止め８ａ、８ｂと２個並列のサンダル底板９ａ、９ｂの表面側にそれぞれサンダルベルト１０ａ、１０ｂが設けられている。踵止め８ａ、８ｂには、踵の負担を軽減するためクッション材が設けられているのが好ましい。
軸スライド基材２７は、３枚の順次それぞれ対向する長方形の板材３１ａ、３１ｂ、３１ｃに、基軸２８より下方において掛け渡された固定軸２９が各板材を貫通して固設され、基軸２８より上方に、板材３１ａ、３１ｂ、３１ｃにそれぞれ設けられた貫通空隙間を掛け渡されたスライド（可動）軸３０が挿通されており、板材３１ａ、３１ｂ、３１ｃのそれぞれの内側には、固定軸２９から（基軸２８を経て）サンダル底板９の下端に連結固設されたサンダル底板連動部材（図示省略）がそれぞれ設けられ、更に、板材３１ａ、３１ｂ、３１ｃのそれぞれの内側には、スライド（可動）軸３０から基軸２８を経て踵止め底板１１ａ、１１ｂの上端に連結固設された踵止め底板連動部材（図示省略）がそれぞれ設けられた構造である。
足首をサンダルベルト１０ａ、１０ｂに挿入する際には足首の挿入が容易なように開いて（サンダルベルト１０ａ、１０ｂと踵止め８ａ、８ｂとの位置が遠くなる）、足を挿入し、足の甲でサンダルベルト１０ａ、１０ｂを体の方に引っ張るように力を入れると、軸スライド基材２７のスライド（可動）軸３０が板材３１ａ、３１ｂ、３１ｃの空隙内をスライドすることにより、踵止め８ａ、８ｂが基軸２８を中心としてサンダルベルト１０ａ、１０ｂ側に引っ張られて足首がサンダル底板９ａ、９ｂとサンダルベルト１０ａ、１０ｂと踵止め底板１１ａ、１１ｂと踵止め８ａ、８ｂとに包み込まれて緊締されることになり、逆に、足先をサンダル底板先端側に押し付けると、サンダルベルト１０ａ、１０ｂと踵止め８ａ、８ｂとが開いて（サンダルベルト１０ａ、１０ｂと踵止め８ａ、８ｂとの位置が遠くなり）、足首を容易に離脱することが可能となる。
【００１５】
上半身載置板５の(座板１０１の)他端（すなわち把手設置側の反対側先端）と下半身載置板６の他端（すなわち足首保持部設置側の反対側先端）とはヒンジ１３ａ、１３ｂにより表面側にのみ回動自在に軸着されて、表面側に中折れ可能な基台１が形成されている。すなわち、上半身載置板５（脚板１００と座板１０１）と下半身載置板６は一枚の板状に連結されて基台１となり、人間の身体を載置することができることになる。但し、本実施例においては、基台１は裏面側にもわずかな角度（例えば水平から１０度以内）屈折できるように、上半身載置板５（脚板１００と座板１０１）と下半身載置板６が平面状となったとき、上半身載置板５（座板１０１）の他端と下半身載置板６の他端との軸着、連結部１４にわずかな空隙が設けられている。
【００１６】
上半身載置板５（座板１０１）の他端（すなわち把手設置側の反対側先端）には、その下半身載置板側端の両脇に２本の第１の支持桿１５ａ、１５ｂの可動角度を規制するストッパー３２ａ、３２ｂが突設されている。すなわち、第１の支持桿１５ａ、１５ｂが座板側面の溝１５０ａ、１５０ｂの適当な位置にスライド係止つまみ１５１ａ、１５１ｂで軸着され、上半身載置板５の（座板１０１の）上半身載置板５側の端には突設された延伸部材１１１ａ、１１１ｂの側面にストッパー３２ａ、３２ｂが突設されているので、第１の支持桿１５ａ、１５ｂは、ストッパー３２ａ、３２ｂにより下半身載置板６側にはこれ以上回動することができない（動けない）。そのため、下半身載置板６と上半身載置板５（の座板１０１）とは互いに略直角に固定することができる。
【００１７】
上半身載置板５のうち座板１０１の中ほどの手前側面には溝１５０ａが設けられ、この溝１５０ａに第１の支持桿１５ａの一端が側面スライド可能なようにスライド係止つまみ１５１ａで適当な位置に軸着され、この支持桿１５ａの他端には車輪１７ａと第２の支持桿１６ａの一端が軸着され、更に、この支持桿１６ａの他端は下半身載置板６の（上半身載置板５の前記側面と同じ側の）中ほどの側面に軸着されている。上半身載置板５と下半身載置板６の向こう側の側面にも、前記と同様に、第１の支持桿１５ｂと車輪１７ｂと第２の支持桿１６ｂが座板側面の溝１５０ｂの適当な位置にスライド係止つまみ１５１ｂで軸着されている。更に、補強のため第２の支持桿同士（１６ａと１６ｂ）は補強材１８により連結されて、駆動脚部２が形成されている。側面から見ると駆動脚部２は、上半身載置板５と下半身載置板６が傾斜直板状（すなわち基台１が傾斜した直線状）となったときには、基台１を第１の支持桿１５ａ、１５ｂと第２の支持桿１６ａ、１６ｂとにより車輪１７ａ、１７ｂを一つの頂点とする三角形を形成する構造である。第１の支持桿１５ａ、１５ｂと第２の支持桿１６ａ、１６ｂの長さはそれぞれ上半身載置板５又は下半身載置板６の側面軸着部からそれぞれの板の他端（すなわち軸着、連結部１４）までの長さより長いため、上半身載置板５と下半身載置板６とを伸展させて直板状の基台１としたときには、基台１は第１の支持桿１５ａ、１５ｂと第２の支持桿１６ａ、１６ｂの長さに応じて傾斜状となる。
３３ａ、３３ｂは上半身載置板５の（脚板１００の）脚である。この場合、基台１を希望する角度の傾斜状とするためには、脚３３ａ、３３ｂの長さに応じて第１の支持桿１５ａ、１５ｂと第２の支持桿１６ａ、１６ｂを適当に長くすればよい。脚３３ａ、３３ｂは、内側に折り畳むことができるものが好ましい。
【００１８】
上半身載置板５と下半身載置板６とには、両板を伸展させたままで係止或いはそれを解除する装置（伸展基台の係止装置）４が設けられている。
図２に示す伸展基台の係止装置４は、上半身載置板５（の座板１０１）と下半身載置板６とを傾斜直板状（傾斜した一直線上）に伸展させたときにこれらの軸着、連結部１４で傾斜直板状態で係止させ、またその係止を解除する装置であり、上半身載置板５（の座板１０１）の裏面他端（すなわち軸着、連結部１４側の裏面）に固設されたベース材上の先端凸部１９を常に基台側に押圧する第１のバネ機構２０と、下半身載置板６の裏面他端（すなわち軸着、連結部１４側の裏面）に固設されたベース材上の凹部２３と前記凸部１９の離脱用突起２４とからなる。凹部２３は、突起２４に接してこれより他端側（すなわち足首保持部側）に設けられている。凸部１９の根元側は、前記凹部２３に嵌入したときに容易に離脱しないように、９０度より鋭角の係止エッジとなっている。凸部１９の基台側の根元には、その鋭角の係止エッジを覆う離脱用カバー２１と、これを作動させる（すなわち、離脱用カバー２１を常に凸部１９の係止エッジに押圧する）第２のバネ機構２２が設けられている。２６は第１のバネ機構２０のカバーである。
【００１９】
上半身載置板５の座板１０１と脚板１００との連結部２００の手前側面には、両板を伸展させたまま（すなわち両板が連結された水平状態）で或いは裏面側に略９０度以内の特定の角度の中折れ状態で係止或いはそれを解除する装置（座板１０１と脚板１００との係止装置）２５０ａが設けられている。
座板１０１と脚板１００との係止装置２５０ａは、座板１０１と脚板１００とを直板状（一直線上）に伸展させたときにこれらの軸着、連結部２００で直板状態で係止させ、またその係止を解除する装置であり、脚板１００の座板１０１側の側端（すなわち軸着、連結部２００側面）には、１端で連結され、他端が自由に動ける係止環２５１ａを有するベース金属板２５２ａが設けられ、座板１０１の脚板１００側の側端（すなわち軸着、連結部２００側面）には、これにそれぞれ係止する凹部２５４ａ、２５５ａを形成したベース金属板２５３ａが設けられている。
また、座板１０１と脚板１００との連結部２００の向こう側には、座板１０１と脚板１００との係止装置２５０ｂが設けられている。そして、手前側と同じように、脚板１００の座板１０１側の向こう側の側端（すなわち軸着、連結部２００側面）には、１端が連結され、他端が自由に動ける係止環２５１ｂを有するベース金属板２５２ｂが設けられ、座板１０１の脚板１００側の向こう側の側端（すなわち軸着、連結部２００側面）には、これにそれぞれ係止する凹部２５４ｂ、２５５ｂを形成したベース金属板２５３ｂが設けられている。
【００２０】
次に、本発明の実施例の逆さ吊り身体牽引機の使用方法について説明する。
まず、図１において、(座板１０１と脚板１００とを水平状態に固定した)上半身載置板５上に上半身を上向きに横たえ、下半身を下半身載置板６上に上向きに乗せて、足先をサンダルバンド１０ａ、１０ｂ中に挿入し、踵を踵止め８ａ、８ｂに入れ、足首から先を足首保持部３に固定する。
次に、両手で把手７ａ、７ｂを握って起点として身体を真直ぐにするように力を入れると、それにつれて駆動脚部２の車輪１７ａ、１７ｂが回り、第一の支持桿１５ａ、１５ｂと第２の支持桿１６ａ、１６ｂとの間の角度が大きくなって、上半身載置板５と下半身載置板６が直線状になるように伸展し、基台１が傾斜直板状となる。更に力を入れると、上半身載置板５と下半身載置板６の軸着、連結部１４に空隙があるため、駆動脚部２が前記と同じように更に作動して基台１の中央部（ヒンジ１３ａ、１３ｂ付近）がわずかに高くなり（すなわち基台１がわずかに反って）、上半身載置板５の裏面他端の（伸展基台の係止装置４の）先端凸部１９が下半身載置板６の裏面他端の凹部２３に嵌入し、基台１が傾斜直板状態のまま固定される（図５参照）。この際、凸部１９が凹部２３に近づき、離脱用カバー２１が凹部枠材２５の角に接触すると、離脱用カバー２１の先端は、凸部１９より基台１側に出っ張っているため、離脱用カバー２１の先端が枠材２５の角に引っ掛って軸着、連結部１４の空隙内に係留される。
身体の逆さ吊り牽引が終了したときは、両手で把手７ａ、７ｂを握って起点として身体を伸ばすように力を入れると、駆動脚部が前記と同じように作動して基台１の中央部（ヒンジ１３ａ、１３ｂ近辺）がわずかに高くなり（すなわち基台１がわずかに反って）、軸着、連結部１４の空隙が狭くなり、伸展基台の係止装置４の（凹部２３に嵌入している）凸部１９が離脱用突部２４に向って移動する。凸部１９が離脱用突部２４に接触すると、凸部１９はその斜面に沿って移動して基台１から次第に離れるため、離脱用カバー２１の先端も凹部枠材２５の角から外れて、離脱用カバー２１が凸部１９の根元側の（鋭角の）係止エッジを覆い、凸部１９が再び凹部２３に嵌入しても容易に凹部２３から離脱することになる。次いで、身体を伸ばすのを止めると、身体の重みで駆動脚部２の車輪１７ａ、１７ｂが回って、第１の支持桿１５ａ、１５ｂと第２の支持桿１６ａ、１６ｂとの間の角度がせばまり、基台１が軸着、連結部１４で表面側に中折れして、上半身載置板５は水平状態となり、下半身載置板６はそれに対してほぼ垂直となる（図１参照）。
足首保持部３から足首を抜いて、基台１から下り、逆さ吊り身体牽引機の使用を終了する。
【００２１】
更に、本発明の実施例の逆さ吊り身体牽引機を椅子として使用する場合について説明する。
まず、図１において、上半身載置板５の脚板１００の係止環２５１ａ、２５１ｂを座板１０１の係止凹部２５４ａ、２５４ｂからはずして、上半身載置板５の（脚板１００と座板１０１との）軸着、連結部２００で略９０度に裏面側に折り曲げる。
次に、上半身載置板５の脚板１００の係止環２５１ａ、２５１ｂを座板１０１の係止凹部２５５ａ、２５５ｂに係止して、図４のように椅子の形に組み立てる。
図４の椅子の形に組み立てたものに、下半身載置板６が背中に位置するように、上半身載置板５の座板１０１の上に臀部を乗せれば、上半身載置板５の脚板１００に添うように膝から足首までを位置させて座ることができる。
【図面の簡単な説明】
【００２２】
【図１】本発明の一実施例の逆さ吊り身体牽引機の斜視図である。
【図２】伸展基台の係止装置の作用、機構を説明する一部分解斜視図である。
【図３】足首保持部において足を挿入する前の状態を示す部分斜視図である。
【図４】本発明の一実施例の逆さ吊り身体牽引機の椅子としての使用状態を示す斜視図である。
【図５】本発明の一実施例の逆さ吊り身体牽引機の使用状態を示す斜視図である。
【符号の説明】
【００２３】
１  基台
２  駆動脚部
３  足首保持部
４  伸展基台の係止装置
５  上半身載置板
６  下半身載置板
７ａ、７ｂ  把手
８ａ、８ｂ  踵止め
９ａ、９ｂ  サンダル底板
１０ａ、１０ｂ  サンダルベルト
１３ａ、１３ｂ  ヒンジ
１４  （伸展基台の）軸着、連結部
１５ａ、１５ｂ  第１の支持桿
１６ａ、１６ｂ  第２の支持桿
１７ａ、１７ｂ  車輪
２７  軸スライド基材
３２ａ、３２ｂ  ストッパー
１００  脚板
１０１  座板
２００  脚板と座板との軸着、連結部
２５０ａ、２５０ｂ  脚板と座板との係止装置
【図１】
2005342263.tif 000003
【図２】
2005342263.tif 000004
【図３】
2005342263.tif 000005
【図４】
2005342263.tif 000006
【図５】
2005342263.tif 000007